(57)【要約】【課題】漏電保護機能を有する電源制御ユニットにおいて、その工数の削減とコストダウンとを図る。【解決手段】負荷の側での漏電を検知して電源ラインの遮断を行う漏電遮断部１４と、この漏電遮断部１４を通じて商用電源が供給される電源部１５と、前記電源部１５からの給電により所要の制御動作を行う制御部１６とを備え、これら漏電遮断部１４と、電源部１５と、制御部１６とが単一のケース（ケース本体１８ａ）に内蔵されている。好ましくは、漏電遮断部１４を構成する部品群１４ａが、電源部１５および制御部１６の一方もしくは両方を構成する部品群１５ａ(１６ａ)が実装されているのと同一の基板１５ｂ（１６ｂ）に実装されていることが望ましい。【選択図】  図３
2004191009.tif 000002
【特許請求の範囲】
【請求項１】
出力側に接続される負荷の側での漏電を検知して電源ラインの遮断を行う漏電遮断部と、この漏電遮断部を通じて元電源が供給される電源部と、前記電源部からの給電により所要の制御動作を行う制御部とを備え、これら漏電遮断部と電源部と制御部とが単一のケースに内蔵されていることを特徴とする漏電保護機能付き電源制御ユニット。
【請求項２】
請求項１に記載の漏電保護機能付き電源制御ユニットにおいて、
前記漏電遮断部を構成する部品群が、前記電源部および制御部の一方もしくは両方を構成する部品群が実装されているのと同一の基板に実装されている漏電保護機能付き電源制御ユニット。
【請求項３】
請求項１に記載の漏電保護機能付き電源制御ユニットにおいて、
前記漏電遮断部は専用の基板を有し、この基板付きの漏電遮断部が、前記電源部および制御部の一方もしくは両方を構成する部品群が実装されている基板上に設置されている漏電保護機能付き電源制御ユニット。
【請求項４】
請求項１ないし請求項３のいずれかに記載の漏電保護機能付き電源制御ユニットにおいて、
前記ケース内で前記漏電遮断部がポッティングされている漏電保護機能付き電源制御ユニット。
【請求項５】
請求項１ないし請求項４のいずれかに記載の漏電保護機能付き電源制御ユニットにおいて、
前記漏電遮断部の入力側に電流ヒューズが介装されている漏電保護機能付き電源制御ユニット。
【請求項６】
請求項１ないし請求項５のいずれかに記載の漏電保護機能付き電源制御ユニットにおいて、
前記ケースには、その表面部に一体に形成された押し込み可能な操作体と、この操作体の内側に設けられ該操作体の押し込み操作に関連して開閉する接点とからなる操作スイッチが設けられている漏電保護機能付き電源制御ユニット。
【請求項７】
請求項６に記載の漏電保護機能付き電源制御ユニットにおいて、
前記操作スイッチが、前記漏電遮断部のテストスイッチもしくはリセットスイッチである漏電保護機能付き電源制御ユニット。
【請求項８】
請求項１ないし請求項７のいずれかに記載の漏電保護機能付き電源制御ユニットを備えたことを特徴とする電気機器。
【請求項９】
請求項８に記載の電気機器が温水装置である電気機器。
【発明の詳細な説明】
【０００１】
【発明の属する技術分野】
本発明は、温水装置等に設けられる電源制御ユニットと、この電源制御ユニットを備える電気機器に関する。
【０００２】
【従来の技術】
モータや電磁バルブ等、電気的に駆動される部品を含む電気機器、例えば、給湯や浴槽への注湯を行う温水装置は、前記モータ等の動作を集中的に制御する制御部を有している（特許文献１参照）。このような電気機器では当然、電源部があり、この電源部と前記制御部とは、従来、電源制御ユニットとしてユニット化されていることが多い。
【０００３】
【特許文献１】
特開２００２−１６８４６２公報(明細書の段落００２１、図１)
【０００４】
【発明が解決しようとする課題】
上記のような電気機器に漏電保護機能を持たせるには、電源制御ユニットの入力側に漏電ブレーカを設ける必要があるが、従来、電源制御ユニットは専用のケースに収容されており、漏電ブレーカは、別の専用のケースに収容されている。
【０００５】
そのため、電源制御ユニットに漏電ブレーカを設ける場合は、両者を電線や、その他の接続部品により接続する必要があって、組立ての工数が多く、コストが嵩む。また、電源制御ユニットと漏電ブレーカとのそれぞれにケースを用意しなければならないので、この点でもコストが嵩むほか、全体が大型化するという問題もある。
【０００６】
したがって、本発明は、漏電保護機能を有する電源制御ユニットにおいて、その工数の削減とコストダウンを図り、そのうえ、一方のケースを省略可能としてさらにコストダウンを図り、全体を小型化することを、解決すべき課題とする。
【０００７】
【課題を解決するための手段】
本発明は、出力側に接続される負荷の側での漏電を検知して電源ラインの遮断を行う漏電遮断部と、この漏電遮断部を通じて元電源が供給される電源部と、前記電源部からの給電により所要の制御動作を行う制御部とを備え、これら漏電遮断部と電源部と制御部とが単一のケースに内蔵されている漏電保護機能付き電源制御ユニットを構成している。
【０００８】
上記構成によれば、漏電遮断部と電源部と制御部とを収容するのに、単一のケースを用意すればよいから、その分、コストの削減が可能になる。また、漏電遮断部と他の電源部等との接続は、ケース内部での接続であるから、ケースの外部での接続に比べ、接続の作業が簡単で、組立ての工程が少なくて済み、この点からも、コストの削減が可能になる。
【０００９】
上記構成の漏電保護機能付き電源制御ユニットにおいては、それぞれ基板を有する漏電遮断部と電源部と制御部とが、互いに並列する形で、ケース内に設けられてもよいが、好ましくは、漏電遮断部を構成する部品群が、電源部および制御部の一方もしくは両方を構成する部品群が実装されているのと同一の基板に実装されていることが望ましい。
【００１０】
このように、漏電遮断部と、他の部分、例えば、電源部との基板が共通化されていれば、漏電遮断部と電源部との接続は、同一の基板上での接続であるから、基板に部品を実装して漏電遮断部等を組み立てる過程で両部間の接続を済ませておくことができ、漏電遮断部と他の部分との接続のために別に工程を設定する必要がない。
【００１１】
さらに、上記構成の漏電保護機能付き電源制御ユニットにおいて、漏電遮断部は専用の基板を有し、この基板付きの漏電遮断部が、電源部および制御部の一方もしくは両方を構成する部品群が実装されている基板上に設置されていてもよい。このほか、それぞれ基板を有する漏電遮断部と電源部と制御部とが、単一の設置用の基板上に設置されていてもよい。
【００１２】
また、上記構成の漏電保護機能付き電源制御ユニットにおいて、ケース内で漏電遮断部がポッティングされていることが望ましい。このようにポッティングがされていると、ポッティングの樹脂により部品どうしの間や、部品と他の金属部分との間が絶縁されるとともに、その絶縁状態が固定されるので、漏電や短絡の発生が未然に防止される。
【００１３】
さらに、上記構成の漏電保護機能付き電源制御ユニットにおいて、漏電遮断部の入力側に電流ヒューズが設けられていると、電源制御ユニットに含まれる回路全体の安全性を高めることができる。
【００１４】
上記構成の漏電保護機能付き電源制御ユニットに含まれる漏電遮断部には、テストスイッチのような操作スイッチが必要であるが、ケースには、その表面部に一体に形成された押し込み可能な操作体と、この操作体の内側に設けられ該操作体の押し込み操作に関連して開閉する接点とからなる操作スイッチが設けられている構成とすることが望ましい。
【００１５】
このようにケースの一部を利用して操作スイッチが設けられていると、操作スイッチを内部の基板に直接設けた場合のように、操作スイッチの操作時に操作者の指が他の部品に触れる危険性がなく、安全にスイッチ操作ができるほか、操作スイッチを基板上に直接設ける場合に基板上で必要となるスペースを削減して、基板を小型化することができる。また、ケースの一部を利用するので、コストの削減を図ることができる。さらに、ケースが蓋体を有するものである場合、蓋体を開けることなく、スイッチ操作が可能である。
【００１６】
本発明の電源制御ユニットを含む電気機器では、電源制御ユニットが漏電保護機能を有するので、漏電や短絡に伴う事故を未然に防止でき、安全性が高まる。
【００１７】
【発明の実施の形態】
〔第１実施形態〕
以下、本発明の詳細を図面に示す実施の形態に基づいて説明すると、図１ないし図５は本発明の第１実施形態を示すもので、図１は、第１実施形態に係る電源制御ユニットを含む電気機器の構成図で、ここでは、電気機器として温水装置を例示している。図２は、電源制御ユニットの外観斜視図、図３は、図２の電源制御ユニットの横断平面図、図４は、図３の（４）−（４）線での断面図、図５は、電源制御ユニットの一部である漏電遮断部の構成図である。
【００１８】
図１において、符号１は、温水装置の全体を示している。この温水装置１は、台所や洗面所への給湯のほか、浴槽に温水を供給しうるもので、温水回路部２と、漏電保護機能付きの電源制御ユニット３とを有している。
【００１９】
温水回路部２は、バーナ４ａと熱交換器４ｂとからなる給湯用の加熱部４と、同じくバーナ５ａと熱交換器５ｂとからなる循環温水用の加熱部５とを備えている。この循環温水用の加熱部５には、循環往路６ａと循環復路６ｂとが接続されている。循環復路６ｂには循環ポンプ７が設けられている。給湯用加熱部４の上流部には、上水道につながる給水路８が接続されるとともに、下流部には給湯路９が接続され、この給湯路９には、台所や洗面所等に設置されるカラン１０が接続されている。また、給湯路９には分岐通路１１が設けられ、この分岐通路１１は、電磁弁１２と、逆止弁１３とを介して循環往路６ａに合流接続されている。
【００２０】
電源制御ユニット３には、出力側に接続される負荷の側での漏電を検知して電源ラインの遮断を行う漏電遮断部１４と、この漏電遮断部１４を通じて商用電源、もしくは自家発電による電源等の元電源が供給される電源部１５と、前記温水回路部２内の各加熱部４，５のバーナ４ａ，５ａや、循環ポンプ７、電磁弁１２等の動作を制御する制御部１６とが含まれている。制御部１６には、これと双方向通信が可能な遠隔コントローラ１７が一つもしくは複数設けられている。
【００２１】
電源制御ユニット３は、図２に示す通りの外観で、本体１８ａと蓋体１８ｂとからなる単一のケース１８を有している。ケース１８の表面部には、元電源の入力端子１９ｈ，１９ｅが設けられ、この入力端子１９ｈ，１９ｅには、元電源の電源線２０が接続される。また、ケース１８の蓋体１８ｂの表面部には、後に詳述する操作スイッチ２１の一部である操作体２１ａが一体に形成されている。
【００２２】
電源制御ユニット３のケース１８の本体１８ａ内には、図３および図４に示すように、前記の漏電遮断部１４と、電源部１５と、制御部１６とが内蔵されている。両図において、符号１４ａは、漏電遮断部１４を構成する部品群、１５ａは、電源部１５を構成する部品群であり、１５ｂは電源部１５の基板である。電源部１５の基板１５ｂは、該電源部１５の部品群１５ａに対して余分のスペースができるよう大型に成形されていて、この基板１５ｂの余分のスペースに、漏電遮断部１４を構成する部品群１４ａが実装されている。要するに、漏電遮断部１４の部品群１４ａと電源部１５の部品群１５ｂとは、共通で単一の基板１５ｂに実装されている。なお、符号１６ａは、制御部１６を構成する部品群であり、１６ｂはその基板である。
【００２３】
漏電遮断部１４および電源部１５に共通する基板１５ｂと、制御部１６の基板１６ｂとは、ケース本体１８ａの内底部に突起２２により支持され、その支持状態でポッティングの樹脂２３によりケース本体１８ａ内に固定されている。このポッティングの樹脂２３には、エポキシ樹脂、ポリウレタン樹脂、シリコーン樹脂等の熱硬化性の樹脂が使用され、ケース本体１８ａ内において各基板１５ｂ，１６ｂ上５ｍｍ程度の高さまで充填される。
【００２４】
図５は、漏電遮断部１４の構成を示しており、同図において、符号２４ｈ，２４ｅは、交流の元電源が入力する一対の入力端子１９ｈ，１９ｅに対応する一対の出力端子、２５はアース端子、２６ｈはホット側電源ライン、２６ｅはアース側電源ライン、２７は漏電を検知する零相変流器、２８は電源ライン２６ｈ，２６ｅの遮断を行う遮断リレー、２９は遮断制御部である。
【００２５】
ホット側電源ライン２６ｈは、一方の入力端子１９ｈと出力端子２４ｈとの間に介装されている。アース側電源ライン２６ｅは、他方の入力端子１９ｅと出力端子２４ｅとの間に介装されている。アース側電源ライン２６ｅの入力側には電流ヒューズ３０が設けられている。また、入力側の両電源ライン２６ｈ，２６ｅ間には、避雷素子３１としてバリスタまたはアレスタのいずれか、あるいはバリスタとアレスタとの両方が設けられている。ホット側電源ライン２６ｈとアース端子２５との間にも、バリスタまたはアレスタのいずれか、あるいはバリスタとアレスタとの両方からなる避雷素子３２が介装されている。また、ホット側の電源ライン２６ｈの入力側と、アース側の電源ライン２６ｅの出力側との間に、テストスイッチ３３が設けられている。このテストスイッチ３３は、漏電遮断部１４での漏電検知、電源ラインの遮断等の動作を確認するためのもので、両電源ライン２６ｈ，２６ｅを短絡することで、漏電状態を発生させる。符号３４はリセットスイッチである。
【００２６】
零相変流器２７は、リングコア２７ａに不平衡電流検知用の巻線２７ｂを巻き付けて構成されている。この零相変流器２７は、両電源ライン２６ｈ，２６ｅに流れる電流の平衡状態を検知し、これら両電源ライン２６ｈ，２６ｅに不平衡電流が流れていると、これを漏電であると検知し、その検知出力を漏電検知信号として遮断制御部２９に入力するようになっている。
【００２７】
遮断リレー２８は、一対の遮断リレー接点２８ｈ，２８ｅからなり、常時は閉じていて遮断制御部２９からの制御入力に応答して開かせられるようになっている。
【００２８】
遮断制御部２９は、零相変流器２７からの漏電検知入力に応答して、遮断リレー２８を強制的に開かせるものである。遮断制御部２９はまた、零相変流器２７により漏電を検知したことに関連して、表示灯、表示器、発音体等からなる報知部３５を動作させて、漏電の検知状態を報知するようになっている。このような遮断制御部２９は、例えばマイクロコンピュータ、あるいは他のＩＣなどを中心に構成される。
【００２９】
遮断制御部２９を動作させるためには直流電源が必要であるが、漏電遮断部１４内に直流化回路が設けられ、この直流化回路から漏電制御部２９に直流電源が与えるられるようにしてもよいし、漏電遮断部１４の出力側に接続される電源部１５から直流電源が与えられるようにしてもよい。
【００３０】
上記構成の電源制御ユニット３では、漏電遮断部１４と電源部１５と制御部１６とを収容するのに、単一のケース１８を用意すればよいから、その分、コストの削減が可能になる。また、漏電遮断部１４と電源部１５との基板が共通化されているから、漏電遮断部１４と電源部１５との接続は、同一の基板１５ｂ上での接続となり、基板に部品を実装して漏電遮断部１４や電源部１５を組み立てる過程で両部間の接続を済ませておくことができ、ケース１８内には、共通の基板１５ｂに互いに接続された状態で設けられている漏電遮断部１４と電源部１５とを収容すればよく、漏電遮断部１４と電源部１５との接続のために別に工程を設定する必要がない。この点からもコストの削減が可能になる。
【００３１】
また、漏電遮断部１４と電源部１５と制御部１６とが、ケース１８内においてポッティングされているので、各部を構成する部品どうしの間や、部品と他の金属部分との間が絶縁された状態で固定されるので、漏電や短絡の発生が未然に防止される。さらに、漏電遮断部１４の入力側に電流ヒューズ３０が設けられていることで、電源制御ユニット３に含まれる回路全体の安全性が確保される。
【００３２】
なお、上記実施形態では、漏電遮断部１４と電源部１５との基板が共通化されているが、漏電遮断部１４と制御部１６との基板を共通化してもよいし、漏電遮断部１４と電源部１５と制御部１６との基板を共通化してもよい。この場合、漏電遮断部１４と基板を共有する部分は、漏電遮断部１４とともにポッティングされる。したがって、いずれの場合でも漏電遮断部１４はポッティングされる。
【００３３】
〔他の実施形態〕
漏電遮断部１４と電源部１５と制御部１６とを単一のケース１８に収容する仕方は、前記したものに限定されず、他に図６ないし図８に示すような収容の仕方が可能である。
【００３４】
図６は、第２実施形態に係る電源制御ユニットの縦断面図である。この第２実施形態では、漏電遮断部１４は専用の基板１４ｂを有し、この基板１４ｂ付きの漏電遮断部１４が、電源部１５を構成する部品群１５ａが実装されている基板１５ｂ上にスペーサ３６を介して設置されている。電源部１５の基板１５ｂがケース本体１８ａの内底部に突起２２により支持され、その支持状態でポッティングの樹脂２３によりケース本体１８ａ内に固定される点は、図３および図４に示した第１実施形態の場合と同じである。
【００３５】
その変形例として、図示は省略するが、基板１４ｂ付きの漏電遮断部１４が、制御部１６を構成する部品群１６ａが実装されている基板１６ｂ上に設置されていてもよい。また、電源部１５を構成する部品群１５ａと、制御部１６を構成する部品群１６ａとがともに実装されている共通の基板上に、前記の基板１４ｂ付きの漏電遮断部１４が設置されていてもよい。逆に、漏電遮断部１４を構成する部品群１４ａが実装されている基板１４ｂ上に、専用の基板を有する電源部１５、専用の基板を有する制御部１６、もしくは共通の基板を有する電源部１５および制御部１６を設置してもよい。
【００３６】
図７は第３実施形態を示すもので、この第３実施形態では、それぞれ専用の基板１４ｂ，１５ｂを有する漏電遮断部１４と電源部１５とが、互いに並列する形で、ケース本体１８ａ内に設けられている。図７には図示しないが、制御部１６も専用の基板を有し、この基板付きの制御部１６が、漏電遮断部１４や電源部１５と並列する形で、ケース本体１８ａ内に設けられているものとする。電源部１５等、各部の基板１５ｂ，…は、ケース本体１８ａの内底部に突起２２により支持され、その支持状態でポッティングの樹脂２３によりケース本体１８ａ内に固定される。
【００３７】
図８は第４実施形態を示すもので、この第４実施形態では、漏電遮断部１４と電源部１５とがそれぞれ専用の基板１４ｂ，１５ｂを有する（図示しないが制御部１６も専用の基板を有する）とともに、ケース本体１８ａの内底部には、これら漏電遮断部１４と電源部１５と制御部１６とに共通する設置用の基板３７を備えており、この設置用の基板３７上に、それぞれ基板付きである漏電遮断部１４と電源部１５と制御部１６とがスペーサ３６を介して設置されている。設置用の基板３７は、ケース本体１８ａの内底部に突起２２により支持される。電源部１５等の各部は、設置用基板３７上に設置された状態で、ポッティングの樹脂２３によりケース本体１８ａ内に固定される。
【００３８】
このほか、本発明の電源制御ユニット３を備える温水装置としては、そのバーナ等で使用する燃料にガスを用いるタイプの温水装置、あるいは石油を用いるタイプの温水装置などがある。また、ＣＯ2やその他のガスを熱媒体とするヒートポンプ給湯装置や、電気温水器などがある。さらに、本発明の電源制御ユニット３を備える温水装置としては、一般給湯機能、風呂注湯機能、風呂追い焚き機能、温水暖房機能等のうち、少なくとも１つ以上を備えた温水機器がある。その他、本発明の電源制御ユニット３は本発明が奏する効果と同様の効果を有するものであれば、種々の電気機器に適用可能である。
【００３９】
〔操作スイッチの実施形態〕
次に、図９ないし図１１に基づいて、電源制御ユニット３のケース１８の表面部に設けられる操作スイッチ２１について説明する。この操作スイッチ２１は、例えば、図５で示した漏電遮断部１４のテストスイッチ３３、もしくはリセットスイッチ３４として使用される。
【００４０】
図９は操作スイッチ２１の一実施形態を示すもので、同図の（Ａ）は平面図で、（Ｂ）はその縦断面図である。操作スイッチ２１は、ケース蓋体１８ｂに、該蓋体１８ｂが樹脂製であることを利用して設けたもので、この実施形態では、押しボタンのように押し込み可能な操作体２１ａと、その内側の固定接点２１ｂとからなる。操作体２１ａは、ケース蓋体１８ｂの一部に、円弧状の連結部２１ｃを介して周囲部分に支持される形で、一体に形成されている。操作体２１ａと連結部２１ｃとの周りには、蓋体１８ａの表裏に抜ける打ち抜き隙間２１ｄが形成されている。操作体２１ａの内端には、下向きコ字形もしくはＵ字形の金属片からなる可動接点２１ｅが、一部突出する形で埋設されている。  固定接点２１ｂは、操作体２１ａの可動接点２１ｅに対応する位置にあり、操作体２１ａの内側にある基板３８上に形成された導電パターンのランドからなる。
【００４１】
この実施形態の操作スイッチ２１では、操作体２１ａを押し込むと、その内端の可動接点２１ｅが基板３８側の固定接点２１ｂに接触し、スイッチは閉状態となる。なお、図示を省略したが、操作体２１ａを含むケース蓋体１８ｂの表面部には、透明もしくは半透明のシートが被覆され、この被覆により、操作体２１ａの周りの打ち抜き隙間２１ｄが遮蔽される。
【００４２】
図１０は、操作スイッチの他の実施形態を示すもので、この実施形態の操作スイッチ２１では、固定接点２１ｂが、操作体２１ａの内側にある基板３８に立設されたピンで構成されている。可動接点２１ｅは、操作体２１ａの内端に一部突出する形で埋設された上向きコ字形の金属片からなる。その動作は、図９の操作スイッチと同様である。
【００４３】
図１１は、操作スイッチのさらに他の実施形態を示すもので、この実施形態の操作スイッチ２１では、操作体２１ａに可動接点が設けられておらず、操作体２１ａの内側にある基板３８に、固定接点２１ｂと、可動接点２１ｅとが設けられている。可動接点２１ｅは弾力的に屈曲可能で、その先端が操作体２１ａの内端に接触しうる位置に臨んでいる。この実施形態の操作スイッチ２１では、操作体２１ａを押し込むと、その内端部で可動接点２１ｅが屈曲させられて、固定接点２１ｂに接触し、これでスイッチは閉状態となる。
【００４４】
上記のように、操作スイッチ２１はケース１８の一部を利用してケース１８の表面部に設けたものであるから、操作スイッチを内部の基板に直接設けた場合のように操作者の指が他の部品に触れる危険性がなく、安全にスイッチ操作ができるほか、操作スイッチを基板上に直接設ける場合に比べ、基板を小型化することができる。また、ケース１８の一部を利用するので、コストの削減を図ることができる。
【００４５】
なお、図１０および図１１の操作スイッチ２１の平面形状は、図９の操作スイッチ２１と同じでよい。また、図９ないし図１１に図示の操作スイッチ２１は、いずれも常開のスイッチであるが、常閉のスイッチとすることも可能で、例えば、図１１の操作スイッチ２１の場合、その可動接点２１ｅの先端を、常時弾力的に固定接点２１ｂの一部に下側から接触するようにし、操作体２１ａの押し込みに伴い、その下端部で可動接点２１ｅの先端が押し下げられるように構成すればよい。
【００４６】
上記構成の操作スイッチ２１は、漏電遮断部１４に用いる操作スイッチ（テストスイッチ３３およびリセットスイッチ３４）のほか、電源制御ユニット３内に設けられる操作スイッチ、例えば本発明が実施される電気機器がガス燃焼機器である場合、燃料となるガスのガス圧を段階的に調整するための操作スイッチに適用してもよい。
【００４７】
【発明の効果】
本発明の電源制御ユニットでは、漏電保護機能を有するにもかかわらず、単一のケースを用意すればよいから、その分、コストの削減が可能になる。また、漏電遮断部と他の電源部等との接続は、ケース内部での接続であるから、ケースの外部での接続に比べ、接続の作業が簡単で、組立ての工程が少なくて済み、この点からも、コストの削減が可能になる。
【００４８】
特に、漏電遮断部と、他の部分、例えば、電源部との基板が共通化されていれば、漏電遮断部と電源部との接続は、同一の基板上での接続であるから、基板に部品を実装する過程で両部間の接続を済ませておくことができ、漏電遮断部と他の部分との接続のために別に工程を設定する必要がなく、一層のコストの削減が可能になる。
【図面の簡単な説明】
【図１】本発明の第１実施形態に係る電源制御ユニットを含む温水装置の構成図である。
【図２】本発明の第１実施形態に係る電源制御ユニットの外観斜視図である。
【図３】図２の電源制御ユニットの横断平面図である。
【図４】図３の（４）−（４）線での断面図である。
【図５】図２の電源制御ユニットに含まれる漏電遮断部の構成図である。
【図６】本発明の第２実施形態に係る電源制御ユニットの縦断面図である。
【図７】本発明の第３実施形態に係る電源制御ユニットの縦断面図である。
【図８】本発明の第４実施形態に係る電源制御ユニットの縦断面図である。
【図９】本発明の電源制御ユニットに設けられる操作スイッチの構造を示す図で、（Ａ）は平面図、（Ｂ）はその縦断面図である。
【図１０】操作スイッチの他の実施形態を示す縦断面図である。
【図１１】操作スイッチのさらに他の実施形態を示す縦断面図である。
【符号の説明】
１    温水装置
３    電源制御ユニット
１４    漏電遮断部
１４ａ  漏電遮断部を構成する部品群
１５    電源部
１５ａ  電源部を構成する部品群
１５ｂ  電源部の基板
１６    制御部
１８    ケース
１８ａ  ケース本体
【図１】
2004191009.tif 000003
【図２】
2004191009.tif 000004
【図３】
2004191009.tif 000005
【図４】
2004191009.tif 000006
【図５】
2004191009.tif 000007
【図６】
2004191009.tif 000008
【図７】
2004191009.tif 000009
【図８】
2004191009.tif 000010
【図９】
2004191009.tif 000011
【図１０】
2004191009.tif 000012
【図１１】
2004191009.tif 000013